(57)【要約】【課題】工具用ソケットの落下を防止する【解決手段】  本発明の工具用ソケット落下防止治具４０は、ソケット部４１と工具取付部１０とを有する工具用ソケット１１の落下を防止するための治具であって、工具取付部１０の外周に摺動可能に取り付けられた治具胴体部４３と、治具胴体部４３に取り付けられたリング４４とを有するものである。工具用ソケット１１はドライバービット１２を介してインパクトドライバー２６に取り付けられ、このとき、リング４４をインパクトドライバー２６の本体に取付けられた取付具４５に接続することにより、工具用ソケットの落下を防止することができる。【選択図】  図３
2009285756.tif 000002
【特許請求の範囲】
【請求項１】
ソケット部と工具取付部とを有する工具用ソケットの落下を防止するための治具であって、前記工具取付部の外周に摺動可能に取り付けられた治具胴体部と、前記治具胴体部に取り付けられたリングとを有することを特徴とする工具用ソケット落下防止治具。
【請求項２】
前記治具胴体部が円筒部とフランジとで構成されていることを特徴とする請求項１に記載の工具用ソケット落下防止治具。
【請求項３】
前記工具用ソケットが、一端にインナーソケットを、他端にドライバービット差込口をそれぞれ有し、前記インナーソケットと前記ドライバービット差込口との間にバネ外装部を有するソケット本体と、一端にアウターソケットを、他端にバネ収容部を有するソケット外筒と、コイル圧縮バネで構成される外筒付勢バネと、ブッシュと、ドライバービット着脱手段とを備える工具用ソケットであって、
前記ソケット本体の外周部に前記ソケット外筒が軸方向に移動自在に装着された状態で、前記外筒付勢バネが前記バネ外装部と前記バネ収容部と前記ブッシュとで形成される空間内に収容されており、常時は、前記インナーソケットが前記アウターソケットの内部に押し込まれた状態で静止しており、前記外筒付勢バネの力に反して前記アウターソケットに外力が加えられると、前記アウターソケットの位置が後退し、前記インナーソケットの先端が前記アウターソケットから突出する構成を有し、
請求項１または２に記載の工具用ソケット落下防止治具がドライバービット着脱手段の外周に摺動可能に取り付けられていることを特徴とする工具用ソケット。
【発明の詳細な説明】
【技術分野】
【０００１】
本発明は、工具用ソケット落下防止治具および工具用ソケットに関する。
【背景技術】
【０００２】
従来、ボルトやナットの締め付けは、ラチェット機能などを利用した手工具を使用したり、インパクトレンチにソケットを取付けたりして行われていた。これは、ソケットには締め付け時に大きなトルクが必要となるので、従来のインパクトドライバーでは出力が不足していたからである。しかし、近年、インパクトドライバーの出力が比較的に向上しているとともに、扱いやすい充電式インパクトドライバーに使用されるバッテリーの長寿命化も手伝って、インパクトドライバーに取付け可能なソケットが人気となっている。
【０００３】
例えば、建築物の施工時に用いられる足場では、足場クランプの締め付けには１７ｍｍのボルトが使用され、ブラケットの締め付けには２１ｍｍのボルトが使用されるなど、様々な作業現場において２種またはそれ以上のソケットが使用されている。
【０００４】
そこで、ソケット径の異なる二つのソケットを有する工具用ソケットは、簡単な操作で二種のソケットを切り替えることができるので、作業現場では重宝されており、従来、例えば、特許文献１〜７に示されるように、様々なものが開示されている。
【０００５】
【特許文献１】特開２００１−１０５３３３号公報
【特許文献２】特開平８−１４１９１９号公報
【特許文献３】実開昭４８−７４３９８号公報
【特許文献４】実開平５−９３７６６号公報
【特許文献５】実開平７−２０２５９号公報
【特許文献６】特許第３９４７２０７号公報
【発明の開示】
【発明が解決しようとする課題】
【０００６】
ソケットのインパクトドライバーへの接続は、ドライバービットによって行われる。ソケットの中にはドライバービットを固定したものと、ドライバービットを着脱自在にしたものがある。いずれの場合も、使用状況によってはドライバービットの接続が完全ではなく、使用中にソケットがインパクトドライバーから外れる場合がある。このような事態が生じると、高所で作業している場合には、下まで取りに行く必要があり、また、落下の衝撃によってソケットが破損する場合もある。更に、真下に居る人に危険が及ぶという問題もある。このような問題は、ドライバービットを着脱自在にしたソケットのように、着脱箇所が多いソケットにおいて顕著となる。
【０００７】
本発明は、このような従来技術の問題を解決するためになされたものであり、工具用ソケット落下防止治具および工具用ソケットを提供することを目的とする。
【課題を解決するための手段】
【０００８】
従来、ソケットがインパクトドライバーから外れた場合の対策はなされていない。しかし、例えば、ドライバービットが折れるなど破損した場合、ドライバービット着脱手段が破損する場合も考えられる。この場合の作業性、他の作業者への危険性を考慮すると、その対策は必要である。
【０００９】
しかし、ソケットは、インパクトドライバーによって回転が付与される箇所であるため、落下防止具をソケットの一部に取り付けるに際しては、ソケットの回転からはフリーな状態としなければならない。また、インパクトドライバーは高価なため、その買い換えが必要な態様では需要が見込めない。従って、従来のインパクトドライバーに容易に取り付けることができる構成であることが必要である。更に、落下防止治具は、工具用ソケットにとっては付随的な部材であるため、低価格な部材であることが好ましい。
【００１０】
そこで、本発明者らは、工具取付部の外周に摺動可能に取り付けられた治具によって工具用ソケットの落下を防止することを見出し、本発明を完成させた。
【００１１】
本発明は、下記の（１）に示す工具用ソケット落下防止治具および下記の（２）に示す工具用ソケットを要旨とする。
【００１２】
（１）ソケット部と工具取付部とを有する工具用ソケットの落下を防止するための治具であって、前記工具取付部の外周に摺動可能に取り付けられた治具胴体部と、前記治具胴体部に取り付けられたリングとを有する工具用ソケット落下防止治具。
【００１３】
なお、前記治具胴体部は、円筒部とフランジとで構成されていることが望ましい。
【００１４】
（２）前記工具用ソケットが、一端にインナーソケットを、他端にドライバービット差込口をそれぞれ有し、前記インナーソケットと前記ドライバービット差込口との間にバネ外装部を有するソケット本体と、一端にアウターソケットを、他端にバネ収容部を有するソケット外筒と、コイル圧縮バネで構成される外筒付勢バネと、ブッシュと、ドライバービット着脱手段とを備える工具用ソケットであって、
前記ソケット本体の外周部に前記ソケット外筒が軸方向に移動自在に装着された状態で、前記外筒付勢バネが前記バネ外装部と前記バネ収容部と前記ブッシュとで形成される空間内に収容されており、常時は、前記インナーソケットが前記アウターソケットの内部に押し込まれた状態で静止しており、前記外筒付勢バネの力に反して前記アウターソケットに外力が加えられると、前記アウターソケットの位置が後退し、前記インナーソケットの先端が前記アウターソケットから突出する構成を有し、
上記（１）に記載の工具用ソケット落下防止治具がドライバービット着脱手段の外周に摺動可能に取り付けられている工具用ソケット。
【００１５】
なお、前記ブッシュは、リング形状を有し、その内径は前記ソケット用バネ外装部の外径より大きく、その外径は前記ソケット用バネ収容部の内径より小さいものであり、前記ソケット用バネ外装部の前記角度調整手段側の端部に装着され、その小口面には前記ソケット用バネの抜け落ちを抑止するストッパー部を有し、その外周面には前記ソケット外筒の軸方向の移動を案内するガイド部を有することが好ましい。
【００１６】
また、前記ブッシュの外径は、前記ソケット用バネのコイル外径より大きく、前記ソケット用バネ収容部は、前記アウターソケット側端部に設けられたソケット用バネ抑止部と、その内径が前記ソケット用バネのコイル外径より大きく、前記ブッシュ外径より小さいソケット用バネ格納部と、ブッシュ抑止部とで構成されており、前記ソケット用バネ格納部は、前記ソケット用バネに弾性域を超える力が負荷されない十分な長さを有していることが好ましい。
【００１７】
なお、インナーソケットおよびアウターソケットは、六角ソケットおよび十二角ソケットのいずれの形状を採用しても良い。
【発明の効果】
【００１８】
本発明によれば、万が一ソケットがインパクトドライバーから外れた場合においても、ソケットが落下することはない。このため、高所での作業をする場合の作業性を高めると共に、ソケット落下による危険を回避することができる。
【発明を実施するための最良の形態】
【００１９】
以下、図１〜３を用いて本発明の実施形態の例を説明する。図１は、本発明に係る工具用ソケットの例を示す斜視図、図２は、本発明に係る工具用ソケットの例を示す断面図、図３は、本発明に係る工具用ソケットをインパクトドライバーに取り付けた状態を示す図をそれぞれ示している。
【００２０】
図１〜３に示すように、本発明の工具用ソケット落下防止治具４０は、ソケット部４１と工具取付部１０とを有する工具用ソケット１１の落下を防止するための治具であって、工具取付部１０の外周に摺動可能に取り付けられた治具胴体部４３と、治具胴体部４３に取り付けられたリング４４とを有するものである。この工具用ソケット落下防止治具４０は、例えば、図２に示すように、工具取付部１０の外周部に取り付けた後、リング４８を嵌め込むことにより、工具取付部１０の外周部に摺動可能に取り付けられる。
【００２１】
そして、図３に示すように、本発明の工具用ソケット１１は、工具取付部１０がドライバービット１２を介してインパクトドライバー２６に取り付けられ、ナット（図示しない）を緩め、または、締め付けることができる。このとき、治具胴体部４３に取り付けられたリング４４をインパクトドライバー２６の本体に取付けられた取付具４５に接続する。取付具４５としては、例えば、図３に示すように、インパクトドライバー２６に巻き付けるための帯状体と取付治具とを有するものを用いることができる。
【００２２】
本発明の工具用ソケット落下防止治具４０は、このような構成を有しているので、工具用ソケット１１の回転を阻害することなく、インパクトドライバー２６に接続することができる。このため、万が一工具用ソケット１１がインパクトドライバー２６から外れても、落下することはなく、作業性を向上させると共に、危険を未然に防止することができる。
【００２３】
本発明の工具用ソケット落下防止治具４０が取り付けられる工具用ソケットには、特に制限はない。例えば、一つの径だけに対応したソケットであっても良いし、異なる複数のソケットに対応したソケットであっても良い。また、２種類のソケットを切り替えて使う工具用ソケットの場合、例えば、図２に示すように、ソケット本体４と、ソケット外筒７と、外筒付勢バネ８と、ブッシュ９と、ドライバービット着脱手段１０とを備え、ソケット本体４には、一端にインナーソケット１、他端にドライバービット差込口２がそれぞれ設けられ、インナーソケット１とドライバービット差込口２との間にはバネ外装部３が設けられており、ソケット外筒７には、一端にアウターソケット５、他端にバネ収容部６が設けられているものを用いるのが好ましい。なお、図２に示す外筒付勢バネ８は、コイル状の圧縮バネで構成されている。
【００２４】
ここで、本発明の工具用ソケット１１は、例えば、図２に示すように、ソケット本体４の外周部にソケット外筒５が軸方向に移動自在に装着されている。この状態で、外筒付勢バネ８がバネ外装部３とバネ収容部６とブッシュ９とで形成される空間内に収容されている。本発明の工具用ソケット１１は、このような構成を有しているので、常時は、インナーソケット１がアウターソケット５の内部に押し込まれた状態、即ち、アウターソケット５がインナーソケット１に対して突出した状態で静止している。
【００２５】
図２に示すように、ドライバービット着脱手段１０は、例えば、ドライバービット差込口２付近に設けられた貫通孔１３と、貫通孔１３に挿入された球体１４と、着脱手段外筒１５と、着脱手段用バネ１６を有する。着脱手段外筒１５には、球体１４の一部を収容するための球体収容凹部１７が設けられている。
【００２６】
着脱手段外筒１５は、着脱手段用バネによって図の右方向に付勢されており、これを図面左方向に相対的に移動させることにより、球体１４は、球体収容凹部１７に収められ、ドライバービット１２をドライバービット差込口２に挿入することができる。そして、ドライバービット１２のビットストッパー溝２９が球体１４に対応する位置まで挿入されたとき、球体１４の一部がビットストッパー溝２９に嵌め込まれるので、ドライバービット１２がソケット本体４に固定される。同様に、着脱手段外筒１５を図面左方向に相対的に移動させた状態では、球体１４が球体収容凹部１７に収められるので、ドライバービット１２を抜くことができる。これにより、ドライバービット１２の着脱が可能となる。
【００２７】
ここで、着脱手段付勢バネ３０の材質としては、ＳＷＣ８０Ｃなどの通常のバネ鋼を用いることもできるが、電動工具の作動中の振動が伝わるとドライバービット１２が脱落することがある。このような現象は、使用回数が増えるほど生じやすくなり、工具用ソケットの寿命に大きな影響を与える。従って、着脱手段付勢バネ３０の材質としては、ＳＷＰ−Ｂなどのピアノ線を用いるのが望ましい。また、着脱手段外筒１５に外力が働かない状態において、球体１４と球体収容凹部１７との相対的な位置が近すぎると、電動工具の作動中の振動により、ドライバービット１２が脱落しやすくなる。従って、着脱手段外筒１５に外力が働かない状態において、球体収容凹部１７とソケット本体４に設けられた貫通孔１３との位置が重ならないことが望ましい。
【００２８】
本発明の工具用ソケット１１は、図２に示すように、例えば、常時は、インナーソケット１がアウターソケット５の内部に押し込まれた状態、即ち、アウターソケット５がインナーソケット１に対して突出した状態で静止しているので、この状態でアウターソケット５に適合するナットの締め付け等を行うことができる。一方、外筒付勢バネ８の力に反してアウターソケット５に外力が加えられると、前記アウターソケット５の位置が後退し、インナーソケット１がアウターソケット５から突出するので、この状態でインナーソケット１に適合するナットの締め付け等を行うことができる。この場合の突出量は、２．５〜４．５ｍｍの範囲とするのが望ましい。
【００２９】
ブッシュ９は、リング形状を有し、その内径はバネ外装部３の外径より大きく、その外径はバネ収容部６の内径より小さいものであり、バネ外装部３のドライバービット差込口２側の端部に装着されているものを用いるのが望ましい。ブッシュ抑止リング２０によりブッシュ９の抜け落ちが抑止される。外筒付勢バネ８の端部は、ブッシュ９の小口面（ストッパー部２１）に当接しているので、抜け落ちることがない。また、ブッシュ９の外周面（ガイド部２２）は、ソケット外筒７の内面が当接するので、ソケット外筒７の軸方向の移動をガイドする役割を担う。
【００３０】
特に、ブッシュ９の外径が外筒付勢バネ８のコイル外径より大きいものを用い、バネ収容部６は、アウターソケット５側端部に設けられたバネ抑止部２３と、バネ格納部２４と、ブッシュ抑止部２５とを有するものが望ましい。バネ格納部２４は、その内径が外筒付勢バネ８のコイル外径より大きく、ブッシュ９の外径より小さいので、外筒付勢バネ８は収容できるが、ブッシュ９を収容できない構成となっている。このような構成であれば、ソケット外筒７は、ブッシュ抑止部２５がブッシュ９に接触する位置までしか後退できないため、外筒付勢バネ８は、バネ格納部２３に収納されるから、弾性域を超える力が負荷されない。
【００３１】
なお、ソケット本体４は、中空のものであり、長く突出したボルトを格納するのに十分な長さを有するものが望ましい。
【００３２】
本発明の工具用ソケット１１において、ソケット外筒７のソケット本体４への取付けは、図１（ｃ）において、ソケット本体４の図右側より、ソケット外筒７を外装し、バネ外装部３およびバネ収容部６によって形成される空間内に外筒付勢バネ８とともに、ブッシュ９を挿入し、ブッシュ抑止リング２０をブッシュ抑止リング溝２８にはめ込むことにより行うことができる。
【産業上の利用可能性】
【００３３】
本発明によれば、万が一ソケットがインパクトドライバーから外れた場合においても、ソケットが落下することはない。このため、高所での作業をする場合の作業性を高めると共に、ソケット落下による危険を回避することができる。
【図面の簡単な説明】
【００３４】
【図１】本発明に係る工具用ソケットの例を示す斜視図
【図２】本発明に係る工具用ソケットの例を示す断面図
【図３】本発明に係る工具用ソケットをインパクトドライバーに取り付けた状態を示す図
【符号の説明】
【００３５】
１    インナーソケット
２    ドライバービット差込口
３    バネ外装部
４    ソケット本体
５    アウターソケット
６    バネ収容部
７    ソケット外筒
８    外筒付勢バネ
９    ブッシュ
１０  工具取付部（ドライバービット着脱手段）
１１  本発明の工具用ソケット
１２  ドライバービット
１３  貫通孔
１４  球体（ボール）
１５  着脱手段外筒
１６  着脱手段用バネ
１７  球体収容凹部
２０  ブッシュ抑止リング
２１  ストッパー部
２２  ガイド部
２３  バネ抑止部
２４  バネ格納部
２５  ブッシュ抑止部
２６  インパクトドライバー
２７  ナット
２８  ブッシュ抑止リング溝
２９  ビットストッパー溝
３０  着脱手段付勢バネ
３１  着脱手段抑止リング
４０  工具用ソケット落下防止治具
４１  ソケット部
４３  治具胴体部
４４  リング
４５  取付具
４６  円筒部
４７  フランジ
４８  リング
【図１】
2009285756.tif 000003
【図２】
2009285756.tif 000004
【図３】
2009285756.tif 000005